【手続補正書】
【提出日】平成17年4月28日(2005.4.28)
【手続補正１】
【補正対象書類名】明細書
【補正対象項目名】全文
【補正方法】変更
【補正の内容】
【書類名】    明細書
【発明の名称】    車椅子
【特許請求の範囲】
【請求項１】着座席に、着座者が排泄した大・小便を感知するセンサーを付けた便器と床ずれ防止用マットとを装着し、着座者の局部を覆う局部カバーが、前記簡易便器に着脱可能にして、かつ着座者の局部に対応して調整可能に取り付けられ、
水を蓄えて、前記センサーにより排泄を感知したときに前記便器と局部カバーとに水を送り出す洗浄タンクと、
前記便器に設置され、前記センサーにより排泄を感知したときに洗浄タンクから水を噴射して前記便器の排泄物を洗い流す洗浄をする洗浄ノズルと、
前記局部カバーに設置され、前記センサーにより排泄を感知したときに洗浄タンクから水を噴射して着座者の局部の洗浄をする洗浄ノズルと、
前記便器に対して分離可能とされ、この便器から排泄物と排泄物とを受ける汚物タンクとを備えることを特徴とする車椅子。
【請求項２】上記センサーにより排泄を感知したときに臭気吸引を開始する手段を備える請求項１に記載の車椅子。
【請求項３】上記洗浄タンクはヒーターを備え、洗浄タンクの水の温度が前記ヒーターにより常時３６度前後に保たれ、かつ洗浄タンク内の水面上の空気が暖められている請求項１または２に記載の車椅子。
【請求項４】上記便器と床ずれ防止用マットとは一体とされ、車椅子本体と脱着可能である請求項１〜３の何れか一項に記載の車椅子。
【発明の詳細な説明】
【０００１】
【発明の属する技術分野】
この発明は車椅子に関するものである。
【０００２】
【従来の技術】
従来、車椅子利用者の排泄を考慮して乗ったままトイレに行ける車椅子があり、また車椅子につける簡易便器があった。さらにはおむつ利用も対策としてあった。
【０００３】
【発明が解決しようとする課題】
しかしながら、以上の従来技術によれば、排泄のたびに衣服を脱いだりなどの作業が不可欠であり、身体の不自由な人にとれば又、看護する人にとっても重労働であり、おむつ交換などでは精神的負担もおこってきている。
そこで、この発明は、おむつを一切使わず衣服を脱ぐこともなく、排泄したいとき自由に時、場所を選ばずできることを目的とした。また、防臭効果を高めることにより外出することをためらわない精神的解放を与えることも課題とした。
【０００４】
【課題を解決するための手段】
車椅子に頼らないといけない人にとってもっとも負担となるのが排泄問題である。看護人の手を煩わせずに独自で排泄処理できることで精神的負担がどれほど軽くなるか。おむつを使わずに、さらに排泄後も清潔で気持ちよくなければならない。
これを解決する本発明は、着座席に、着座者が排泄した大・小便を感知するセンサーを付けた便器と床ずれ防止用マットとを装着し、着座者の局部を覆う局部カバーが、前記簡易便器に着脱可能にして、かつ着座者の局部に対応して調整可能に取り付けられ、水を蓄えて、前記センサーにより排泄を感知したときに前記便器と局部カバーとに水を送り出す洗浄タンクと、前記便器に設置され、前記センサーにより排泄を感知したときに洗浄タンクから水を噴射して前記便器の排泄物を洗い流す洗浄をする洗浄ノズルと、前記局部カバーに設置され、前記センサーにより排泄を感知したときに洗浄タンクから水を噴射して着座者の局部の洗浄をする洗浄ノズルと、前記便器に対して分離可能とされ、この便器から排泄物と排泄物とを受ける汚物タンクとを備えることを特徴とする車椅子である。
そして、本発明において、上記センサーにより排泄を感知したときに臭気吸引を開始する手段を備えるものとすることが良好である。
また、本発明において、上記洗浄タンクはヒーターを備え、洗浄タンクの水の温度が前記ヒーターにより常時３６度前後に保たれ、かつ洗浄タンク内の水面上の空気が暖められているものとすることが良好である。
さらに、本発明において、上記便器と床ずれ防止用マットとは一体とされ、車椅子本体と脱着可能であることが良好である。
【０００５】
【発明の実施の形態】
この発明の一実施形態を図１に示す。本車椅子は、大・小感知センサー付きの便器（１１）と、洗浄機能付きの局部カバー（３）、床ずれ防止用マット（着座シート４）、洗浄タンク（１）、動力部（９）、制御部、汚物タンク（７）、電力部（バッテリー）、それぞれを連結する各パイプ系を備えている。
まず、洗浄用水タンク（１）に水を入れる。水の量は水量計（２）で目視できる。洗浄用水タンク（１）にはヒーターがありこれにより適温（３６度前後、なお自由設定可能）を維持する。着座した方のお尻に便器（１１）を調整してあわせることができる。着座シート（４）は床ずれ防止マットである。局部カバー（３）を角度や位置を調整して体型に合わせることができる。便器（１１）に装着されたセンサーが排泄物を感知すると動力部（９）の駆動モーターが作動し洗浄水タンク（１）より温水が洗浄用パイプ（５）を通り局部カバー（３）と便器（１１）に送り込まれ、局部を洗い、排泄物を汚物タンク（７）に流すように設けられている。このとき防臭機能のため吸い込み作動が実行するように設けられていて、排泄用パイプ（６）に押し流された排泄物は汚物タンク（７）に吸引され、収納される。このとき同時に吸引された空気は防臭用パイプ（８）を通り動力室にある防臭室を通り外に出される構造である。また、乾燥モードになると洗浄用タンク内上部の空気が同じくパイプ（５）を通り局部カバー（３）と便器（１１）に送り出され局部を乾燥させる。これらの機能が働いているとき局部カバー（３）と便器（１１）の中は真空状態となりそれぞれのふたやゴムを人の体と接着状態にし、中から噴出する温水等を外に漏らさない現象をつくりだす。また、同パイプを温水と温風に切り替えるには電磁弁等を使いコントロールする。尚、洗浄時間や乾燥時間等の設定は調整可能である。
【０００６】
なお、汚物タンクは小型軽量にすることにより、一人で捨てることができ、洗浄水タンクの水補給も一人で吸水できるよう工夫されている。これにより車椅子のまま遠出や旅行、電車にも乗って周囲に排泄時の臭気を気にしなくて行ける。また、意識のない方排泄の表示ができない方には自動制御にすることにより大・小をセンサーが感知して排泄のたびに自動的に作動するようになる。
また、便器（１１）、局部カバー（３）、着座シート（４）、洗浄タンク（１）、動力部（９）、制御部、汚物タンク（７）、電力部（バッテリー）、それぞれを連結する各パイプ系は脱着可能であり、これらの組み付けにより市販の車椅子を本車椅子の構成とすることができる。
【０００７】
上記のシステムを使うことにより従来の車椅子やポータブルトイレ、ベッドをパイプの配管作業等の加工と床ずれ防止用マットを組み合わせて洗浄・乾燥・防臭・排泄機能付きに変化させることが可能である。
【０００８】
【発明の効果】
以上発明したように、この発明によれば、車椅子でのオムツ交換が不要になり、排泄時の防臭効果が高まり、周囲の生活にとけ込みやすくなり、身体の不自由な方々が精神的解放、肉体的負担から解放されるばかりか、身障者の雇用時に必要なトイレの改築、改良、増加等の二次負担が解消される。これにより身障者の雇用活性化という現象が生まれる。また、施設、病院等の労働力負担低減に役立つようになる。
【図面の簡単な説明】
【図１】この発明の一実施形態を示す透視図である。
【図２】この発明の一実施形態を示す分解斜視図である。
【図３】この発明の使用状態を示す透視図である。
【符号の説明】
１  洗浄用水タンク  ２  水量計
３  局部カバー  ４  着座シート
５  洗浄用パイプ  ６  排泄用パイプ
７  汚物タンク  ８  防臭用パイプ
９  動力部  １０  電源（バッテリー）
１１  便器  １２  洗浄・乾燥ノズル
１３  洗浄・乾燥ノズル  １４  洗浄・乾燥ノズル
１５  装着パッド  １６  局部カバー装着調整器具
１７  車椅子ステー  １８  汚物タンク
１９  サイド噴射ノズル